(57)【要約】【課題】  大型トラック等の整備工場において、実際の整備点検作業に則した新規な昇降式照明装置の開発を課題とする。【解決手段】  本発明は、天井側から吊り下げ状態に設けられる伸縮自在の支持杆２に対し、その下端に照明ユニット３を設け、適宜の作業環境を照射する装置であって、この支持杆２は、建屋の天井側から固定状態に吊持される固定支持杆２１と、一または複数の昇降支持杆２２とを具えて成り、また照明ユニット３は、昇降支持杆２２の下端に設けられ、照明ユニット３が上死点から下死点に下降するのに伴い、自動的に照明ユニット３の照射方向が下方向きから徐々に上方向きに変わるように構成したことを特徴とする。【選択図】図１
2013004253.tif 000002
【特許請求の範囲】
【請求項１】
天井側から吊り下げ状態に設けられる伸長・収縮自在の支持杆に対し、その下端に照明ユニットを設け、適宜の作業環境を照射する装置において、
前記支持杆は、建屋の天井側から固定状態に吊持される固定支持杆と、一または複数の昇降支持杆とを具えて成り、
また前記照明ユニットは、昇降支持杆の下端に設けられ、照明ユニットが上死点から下死点に下降するのに伴い、照明ユニットの照射方向が下方向きから徐々に上方向きに変わるように構成されることを特徴とする昇降式照明装置。
【請求項２】
前記支持杆における昇降支持杆は、照明ユニットを回動自在に支持する装着用昇降支持杆と、この装着用昇降支持杆と前記固定支持杆との間を中継するように設けられる中継昇降支持杆とにより構成され、
これら中継昇降支持杆と装着用昇降支持杆とが収縮状態となって支持杆が最短状態を呈する一方、中継昇降支持杆と装着用昇降支持杆とが伸長状態となって支持杆が最長状態を呈するものであり、
前記固定支持杆に対する中継昇降支持杆の昇降動作は、動力駆動によりなされるものであり、
また前記照明ユニットは、ランプサポートを具えて成り、このランプサポートの先端に照明ユニットのランプが固定されるとともに、ランプサポートの他端側が装着用昇降支持杆に回動自在に支持されて成り、
また前記装着用昇降支持杆は、昇降用吊持体によって吊持されるものであり、この昇降用吊持体は、一端が固定支持杆の下部に固定されるとともに、中継昇降支持杆の上端部に設けられた昇降用ターン回転体を懸回した他端側に装着用昇降支持杆を接続して成り、この装着用昇降支持杆の昇降動作は、前記中継昇降支持杆に対する昇降動作を受けて行われるものであり、
また前記ランプサポートは、変向用吊持体による吊持も受けるものであり、この変向用吊持体は、一端が固定支持杆の下部に固定されるとともに、中継昇降支持杆の上端部に設けられた変向用ターン回転体を懸回した他端側にランプサポートを接続して成り、この変向用吊持体によるランプサポートの支持は、装着用昇降支持杆による回動支持点から偏寄させた位置において回動自在に支持されるものであり、
装着用昇降支持杆の昇降動作に伴う照明ユニットの変向動作は、変向用吊持体の繰出寸法を昇降用吊持体の繰出寸法とは異ならせることにより、照明ユニットの変向動作を行うようにしたことを特長とする請求項１記載の昇降式照明装置。
【請求項３】
前記昇降用ターン回転体と変向用ターン回転体とは、中継昇降支持杆の上端部において双方の回転軸が同軸となるように設けられ、
且つ変向用ターン回転体の懸回面を、昇降用ターン回転体の懸回面よりも小さく形成し、変向用吊持体の繰出寸法を昇降用吊持体の繰出寸法とは異ならせるようにしたことを特長とする請求項２記載の昇降式照明装置。
【請求項４】
前記変向用吊持体を固定支持杆の下部に固定するには、接続部分にスプリングを介在させるようにしたことを特徴とする請求項２または３記載の昇降式照明装置。
【請求項５】
前記ランプサポートは、屈曲状に形成されるものであり、この屈曲先端に照明ユニットのランプが固定されるとともに、他端側が装着用昇降支持杆によって支持されて成り、
また装着用昇降支持杆には、ランプの照射方向を維持・安定させるための安定用ウェイトが設けられることを特徴とする請求項２、３または４記載の昇降式照明装置。
【発明の詳細な説明】
【技術分野】
【０００１】
本発明は、例えば大型トラック等の車輛を中心とした自動車整備工場において多く用いられる昇降式照明装置に関するものであって、特にランプ（照明器具）の昇降動作に伴い、このものの照射方向が自動的に変えられるようにした新規な昇降式照明装置に係るものである。
【背景技術】
【０００２】
従来、一般的な自動車整備工場においては、建屋の天井付近などに、水銀灯などの照明器具を固定設置することが多かった。この場合、当然ながら、設置位置付近が最も明るく、実際に整備点検作業を行う作業環境（作業者の手元付近）は薄暗くなることがあり、作業内容や作業箇所によっては実際の作業が行いづらいこともあった。
このため、このような場合には、別途スポット照明（ハンドライトを含む）を作業環境近くに設置または載置して作業付近を集中的に照らすことがあった。しかし、このような手元明かりを別途用意する方法では、作業箇所を多少違った角度から照らしたい場合や、作業箇所がほんの少し移動した場合等にも、照明の設置位置（載置位置）や照射方向を変更しなければならないことがあり、作業能率としては必ずしも好ましいとは言えなかった。
【０００３】
また、ハンドライトを用いる手法では、作業者が片手でライトを持って、照射部位を照らすのが一般的であるため、照明器具の位置や照射方向を自由に調整することができ、作業環境（不具合箇所）を正確に目視することはできるものの、ライトを持っているために作業者の片手が塞がり、やはり整備・修理等の実作業においては相応しくないことがあった。
もちろん、作業者の手元付近を明るくする他の手法としては、天井付近などに固定設置する照明の高電力化を図ったり、スポット照明の設置数を増やしたりして、作業者の手元付近を明るくするという考え方もあるが、建屋全体を明るくすることは非効率的であり、電力の浪費につながるものであった。また、１台の整備車両に対して作業者が集団で整備点検作業を行うことはほとんどないため、このような作業形態からしても、広い範囲（建屋内）を明るくする考え方は現実的とは言えなかった。
【０００４】
このようなことから天井側から吊設する照明を昇降式とし、整備点検作業を行う際に、これを作業者の手元付近まで降ろして（近づけて）作業を行うことが案出されている（例えば特許文献１参照）。しかしながら、この特許文献１では、昇降自在の照明装置を揺動させることなく十分な距離にわたって昇降させることを目的としており、実際の作業実態には必ずしもそぐわないものであった。
すなわち、実際の整備点検作業では、作業内容や作業箇所によって照射方向がある程度定まるものであり、例えば図１に示すように、ブレーキ装置、サスペンション、ホイール、タイヤなど車輛の側面を整備点検する際には（リフトアップしてある場合とない場合いずれも）、作業者の後方水平か、少し上方から照射することが好ましいものである。また、リフトアップした車輛の下面、例えば動力伝達装置、ステアリング機構、サスペンションを整備点検する場合やオイル交換作業では、床面近くの下方から上方に向けて車輛の下面を照射することが好ましいものである。更に、エンジン上面周り（エンジン本体、付属装置、エンジンルーム内のその他の装置）を整備点検する際には、斜め上方から照射することが好ましいものである。
そのため、この種の昇降式照明装置にあっては、単に昇降自在というだけではなく、実際の作業を考慮して、ライトの昇降動作に伴って照射方向が自動的に変わるものが求められていた。
【先行技術文献】
【特許文献】
【０００５】
【特許文献１】実用新案登録第３０６１４９７号公報
【発明の概要】
【発明が解決しようとする課題】
【０００６】
本発明は、このような背景を認識してなされたものであって、照明器具の昇降動作に伴って照射方向が自動的に変えられるようにした新規な昇降式照明装置の開発を試みたものである。
【課題を解決するための手段】
【０００７】
まず請求項１記載の昇降式照明装置は、
天井側から吊り下げ状態に設けられる伸長・収縮自在の支持杆に対し、その下端に照明ユニットを設け、適宜の作業環境を照射する装置において、
前記支持杆は、建屋の天井側から固定状態に吊持される固定支持杆と、一または複数の昇降支持杆とを具えて成り、
また前記照明ユニットは、昇降支持杆の下端に設けられ、照明ユニットが上死点から下死点に下降するのに伴い、照明ユニットの照射方向が下方向きから徐々に上方向きに変わるように構成されることを特徴として成るものである。
【０００８】
まず請求項２記載の昇降式照明装置は、前記請求項１記載の要件に加え、
前記支持杆における昇降支持杆は、照明ユニットを回動自在に支持する装着用昇降支持杆と、この装着用昇降支持杆と前記固定支持杆との間を中継するように設けられる中継昇降支持杆とにより構成され、
これら中継昇降支持杆と装着用昇降支持杆とが収縮状態となって支持杆が最短状態を呈する一方、中継昇降支持杆と装着用昇降支持杆とが伸長状態となって支持杆が最長状態を呈するものであり、
前記固定支持杆に対する中継昇降支持杆の昇降動作は、動力駆動によりなされるものであり、
また前記照明ユニットは、ランプサポートを具えて成り、このランプサポートの先端に照明ユニットのランプが固定されるとともに、ランプサポートの他端側が装着用昇降支持杆に回動自在に支持されて成り、
また前記装着用昇降支持杆は、昇降用吊持体によって吊持されるものであり、この昇降用吊持体は、一端が固定支持杆の下部に固定されるとともに、中継昇降支持杆の上端部に設けられた昇降用ターン回転体を懸回した他端側に装着用昇降支持杆を接続して成り、この装着用昇降支持杆の昇降動作は、前記中継昇降支持杆に対する昇降動作を受けて行われるものであり、
また前記ランプサポートは、変向用吊持体による吊持も受けるものであり、この変向用吊持体は、一端が固定支持杆の下部に固定されるとともに、中継昇降支持杆の上端部に設けられた変向用ターン回転体を懸回した他端側にランプサポートを接続して成り、この変向用吊持体によるランプサポートの支持は、装着用昇降支持杆による回動支持点から偏寄させた位置において回動自在に支持されるものであり、
装着用昇降支持杆の昇降動作に伴う照明ユニットの変向動作は、変向用吊持体の繰出寸法を昇降用吊持体の繰出寸法とは異ならせることにより、照明ユニットの変向動作を行うようにしたことを特長として成るものである。
【０００９】
まず請求項３記載の昇降式照明装置は、前記請求項２記載の要件に加え、
前記昇降用ターン回転体と変向用ターン回転体とは、中継昇降支持杆の上端部において双方の回転軸が同軸となるように設けられ、
且つ変向用ターン回転体の懸回面を、昇降用ターン回転体の懸回面よりも小さく形成し、変向用吊持体の繰出寸法を昇降用吊持体の繰出寸法とは異ならせるようにしたことを特長として成るものである。
【００１０】
まず請求項４記載の昇降式照明装置は、前記請求項２または３記載の要件に加え、
前記変向用吊持体を固定支持杆の下部に固定するには、接続部分にスプリングを介在させるようにしたことを特徴として成るものである。
【００１１】
まず請求項５記載の昇降式照明装置は、前記請求項２、３または４記載の要件に加え、
前記ランプサポートは、屈曲状に形成されるものであり、この屈曲先端に照明ユニットのランプが固定されるとともに、他端側が装着用昇降支持杆によって支持されて成り、
また装着用昇降支持杆には、ランプの照射方向を維持・安定させるための安定用ウェイトが設けられることを特徴として成るものである。
【発明の効果】
【００１２】
これら各請求項記載の発明の構成を手段として前記課題の解決が図られる。
まず請求項１記載の発明によれば、照明ユニットが昇降式であるため、照明が不要な時には作業者の邪魔にならないように建屋内の高所位置に収容でき、必要なときだけ作業者の手元付近（作業環境）まで下降させ、ここを集中的に明るく照らすことができる。なお、作業環境を集中的に照らすことは、広いエリアの不要な照明を抑制することにつながり、ひいては省電力化を達成するものである。また作業者の手元付近まで照明を下降させることができるため電球交換やメンテナンスも極めて容易に行えるものである。
更に、本発明では、昇降支持杆（照明ユニット）の昇降動作に伴い照射方向が上下方向に自動的に変わるため（昇降動作に追随した自動的な上下首振り）、実際の車輛の整備点検作業が能率的に行える。すなわち、実際の整備点検作業では、作業内容や作業箇所によって照射方向がある程度決まっており、例えば図１に示すように、ブレーキ装置、サスペンション、ホイール、タイヤなど車輛の側面を整備点検する際には（リフトアップしてある場合とない場合いずれも）、作業者の後方水平か、少し上方から照射することが好ましい。また、リフトアップした車輛の下面、例えば動力伝達装置、ステアリング機構、サスペンションを整備点検する場合やオイル交換作業では、床面近くの下方から上方に向けて車輛の下面を照射することが好ましい。更に、エンジン本体、付属装置、エンジンルーム内のその他の装置などのエンジン上面周りを整備点検する際には、斜め上方から照射することが好ましいものであった。そのため、ランプの高さに応じてランプの照射方向が自動的に定まる本発明は、作業内容や作業箇所によってランプの設置高ささえ合わせれば、照射方向は自動的に決まり（照射方向を合わせる作業が不要となり）、極めて能率的に整備点検作業が行えるものである。
【００１３】
また請求項２記載の発明によれば、ランプサポート（照明ユニット）を吊持する昇降用吊持体と変向用吊持体との繰出寸法を、照明ユニットの昇降動作に伴い異ならせることにより、照射方向（上下角度）を自動的に変えるため、当該構成を現実的なものとし且つシンプルに構成し得るものである。
【００１４】
また請求項３記載の発明によれば、大きな懸回面を有する昇降用ターン回転体と、小さな懸回面を有する変向用ターン回転体とを同軸上に設け、双方の繰出寸法を異ならせるようにしたため、極めてシンプルな構造でランプの昇降動作に伴う変向動作を実現することができる。
【００１５】
また請求項４記載の発明によれば、昇降用吊持体と変向用吊持体との繰出寸法を異ならせることによってランプの変向動作を行うが、そのままではこの差に起因して変向用吊持体（特に固定側）に弛みが発生し得るものであるが、変向用吊持体の固定側にスプリングを設けるため、このスプリングによって弛みを吸収することができ、変向用吊持体を、常にテンションを掛けた状態（いわゆるピンと張った状態）に設定することができる（弛みの発生を防止することができる）。
【００１６】
また請求項５記載の発明によれば、ランプが取り付けられるランプサポートが屈曲状に形成されるため、ランプの荷重を常時、昇降用吊持体と変向用吊持体とで分散保持することができるが、その一方でランプの保持がアンバランス状態となる。しかしながら、装着用昇降支持杆には安定用のウェイトを設けるため、例えば稼働中に装着用昇降支持杆が傾いてしまうことがなく、安定してランプの照射方向を維持することができる。
【図面の簡単な説明】
【００１７】
【図１】本発明の昇降式照明装置をトラックの整備工場において使用した状況を示す説明図と、昇降式照明装置を拡大して示す斜視図である。
【図２】本発明の昇降式照明装置を一部分解した状態で示す斜視図である。
【図３】本発明の昇降式照明装置を最も短縮させた状態で示す正面図、右側面図、左側面図である。
【図４】図３の昇降式照明装置をＩＶ−ＩＶ線で切断した状態で示す断面図である。
【図５】図３の昇降式照明装置をＶ−Ｖ線で切断した状態で示す断面図である。
【図６】装着用昇降支持杆を昇降用吊持体によって吊持するにあたり、その接続部分に組み込まれる落下防止機構を示す三面図（断面図）である。
【図７】昇降用吊持体により吊持した装着用昇降支持杆の下降状況と、その下降寸法を模式的に示す原理図である。
【図８】昇降式照明装置の最長状態を、最短状態と比較して示す正面図及び側面図である。
【図９】ランプサポートを直棒状に形成した場合の他の実施例を示す説明図である。
【発明を実施するための形態】
【００１８】
本発明を実施するための形態は、以下の実施例に述べるものをその一つとするとともに、更にその技術思想内において改良し得る種々の手法を含むものである。
【実施例】
【００１９】
本発明の昇降式照明装置１は、一例として図１〜３に示すように、建屋の天井側から吊り下げ状態に設けられた伸長・収縮自在の支持杆２と、この支持杆２の下端部に設けられた照明ユニット３とを主要部材とするものであり、支持杆２の昇降動作（伸長・収縮動作）に伴い、照明ユニット３の照射方向を自動的に変向するようにした照明装置である（言わば「上下首振り」）。ここで、本明細書では、照明ユニット３の照射方向を変えることを「変向」と称するものであり、具体的には支持杆２の伸長動作（照明ユニット３の下降）に伴い、照射方向を下方向きから徐々に上方向きに変向させるものであり、これが本発明の大きな特徴の一つである。
このため昇降式照明装置１は、上記支持杆２と照明ユニット３の他、同図１〜３に示すように、照明ユニット３を昇降・変向させる際の基本駆動構造（共通駆動構造）としての駆動部４と、主に照明ユニット３の昇降動作を担うランプ昇降機構５と、主に照明ユニット３の変向動作を担うランプ変向機構６と、照明ユニット３を吊持する部材が切れても照明ユニット３の落下を阻止するようにした落下防止機構７とを具えて成るものである。
【００２０】
なお、支持杆２の伸長動作に伴い、照明ユニット３の照射方向を下方向きから徐々に上方向きに変向するのは、実際の整備工場での作業実態に則した照射形態を考慮してのことである。すなわち、大型トラック等の車輛を整備点検する実際の作業現場では、整備点検作業を行っていないときには、人の移動や別の作業の邪魔にならないように照明ユニット３を天井側の高所位置に収容するものであり、またこの場合、建屋内を全体的に照らすように照明ユニット３を下方向きに設定するものである（必ずしも完全な鉛直下向き（真下）とは限らない）。一方、整備点検作業を行う際には、作業環境を集中的に照らすために、照明ユニット３を作業者の手元付近まで下降させるとともに、作業者にとって照明ユニット３の光が眩しくないように（作業者の視界を奪わないように）照明ユニット３を水平向き〜上向きに設定するものである。
このように照明ユニット３が建屋内の最高所位置に存在する場合には照明ユニット３を下方向きとし、照明ユニット３を作業環境近くまで下降させた場合には照明ユニット３を水平向き（上向き）とし、且つこのような変向を照明ユニット３の昇降動作に追従させて自動で行うものである。
以下、本発明の昇降式照明装置１を構成する上記部材や機構等について説明する。
【００２１】
まず支持杆２について説明する。支持杆２は、建屋の天井側から固定状態に吊持される固定支持杆２１と、一または複数の昇降支持杆２２とを具えて成るものであり、本実施例では昇降支持杆２２が二段（二基）設けられている。すなわち、本実施例の昇降支持杆２２は、照明ユニット３を回動自在に支持する装着用昇降支持杆２２Ｈと、この装着用昇降支持杆２２Ｈと前記固定支持杆２１との間を中継するように設けられる中継昇降支持杆２２Ｒとにより構成される。もちろん、中継昇降支持杆２２Ｒと装着用昇降支持杆２２Ｈとが格納整列状態（ここでは入れ子状）となって支持杆２全体が最短状態（最も収縮した状態）を呈する一方、中継昇降支持杆２２Ｒと装着用昇降支持杆２２Ｈとが繰り出し伸長状態となって支持杆２全体が最長状態を呈するものである。
なお、本実施例では、上述したように装着用昇降支持杆２２Ｈが中継昇降支持杆２２Ｒの内側に入れ子状に且つ上下方向に摺動自在に構成され、上記最短状態と最長状態とを実現するようにしている。
【００２２】
次に照明ユニット３について説明する。照明ユニット３は、適宜の作業環境を実質的に照射する（照らす）ものであり、ライト本体となるランプ３１と、このランプ３１を保持するランプサポート３２とを主な構成部材とするものであり、ランプサポート３２の他端側（ランプ３１の対向側）が、装着用昇降支持杆２２Ｈ（下端部）に回動自在（変向自在）に取り付けられて成るものである。ここで装着用昇降支持杆２２Ｈに対し、回動自在に取り付けられるランプサポート３２の取付位置を回動支持点３５とするものである。
ランプサポート３２は、ランプ３１と一体となって変向動作を受けるものであるが、ランプサポート３２とランプ３１との固定は、照射角度や取付位置が微調整（変更）できるように取り付けられることが好ましい。また、本実施例では、ランプサポート３２を側面視「へ」の字状もしくは「く」の字状に形成しており、上記回動支持点３５以外の部位（回動支持点３５から偏寄した位置）を、後述する変向パイプ６５（変向用吊持体６２）によって吊持することにより、ランプサポート３２全体を回動させ、ランプ３１の照射方向を変向するようにしている。
なお、ランプ３１には、ランプ３１への給電を担うコード３３が接続されるものであり、また不動状態の固定支持杆２１の上部には、当該コードを自動で巻き上げたり繰り出したりするオートリール３４が設けられるものであり（図３（ｂ）参照）、これらも照明ユニット３に包含される。
【００２３】
次に駆動部４について説明する。駆動部４は、上述したように照明ユニット３を昇降・変向させる際の基本動作を担う部位であり、これらの動作の基本は、固定支持杆２１に対して中継昇降支持杆２２Ｒ（昇降支持杆２２）を昇降動させる動作である。
駆動部４により中継昇降支持杆２２Ｒを昇降動させるにあたっては、一例として図２・図４・図５に示すように、平面視「Ｃ」字状断面を呈する固定支持杆２１（いわゆるＣ型チャンネル材）の内側に雄ねじロッド４１を回転自在に設けるとともに、この雄ねじロッド４１に螺合する雌ねじブロック４２を中継昇降支持杆２２Ｒに取り付けておき、雄ねじロッド４１を回転させることで、雌ねじブロック４２つまり中継昇降支持杆２２Ｒを昇降動させるものである。ここで、図中符号４２Ｂは、雌ねじブロック４２を中継昇降支持杆２２Ｒに固定するための、ブロック固定ブラケットである。
【００２４】
このため駆動部４は、上記雄ねじロッド４１や雌ねじブロック４２の他、雄ねじロッド４１を回転させるためのモータ４３と、このモータ４３の回転軸に取り付けられるタイミングプーリ４４（これを特に駆動プーリ４４Ｄとする）と、雄ねじロッド４１に取り付けられるタイミングプーリ４４（これを特に従動プーリ４４Ｎとする）と、これら両プーリ４４に巻回されるタイミングベルト４５とを具えて成るものである。なお、タイミングプーリ４４とタイミングベルト４５との組み合わせ（伝達構造）は、スプロケットとチェーンとの組み合わせ等で実現することも可能である。
因みに、図３における符号４６は、固定支持杆２１の内側において雄ねじロッド４１を下方から回転自在に支持する軸受である。
また、中継昇降支持杆２２Ｒの昇降動作は、上記雌ねじブロック４２で基本的に行えるものの、中継昇降支持杆２２Ｒが長尺部材（細長状部材）であるため、本実施例では、雌ねじブロック４２の下方に、図５に示すようなスライドガイド４７を設け（中継昇降支持杆２２Ｒに固定）、中継昇降支持杆２２Ｒ（昇降支持杆２２）の昇降動作が安定して行えるようにしている。ここでスライドガイド４７は、固定支持杆２１の「Ｃ」字状断面の切欠き部分に嵌まり込み（ここをレールとして）、上下方向に摺動自在に構成されている。
【００２５】
次にランプ昇降機構５について説明する。ランプ昇降機構５は、上述したように、主に照明ユニット３の昇降動作を担うものである（もちろん支持杆２や駆動部４が前提となる）。ランプ昇降機構５は、中継昇降支持杆２２Ｒの上端部に設けられるスプロケット等のターン回転体（これを昇降用ターン回転体５１とする）と、この昇降用ターン回転体５１の上側半周程度に掛け渡される（懸回される）チェーン等の吊持体（これを昇降用吊持体５２とする）とを主な構成部材とする。
昇降用吊持体５２の一端は、固定支持杆２１の下部に設けられた吊持体固定ブラケット５３に取り付けられる一方、他端側は、後述する落下防止機構７を介して装着用昇降支持杆２２Ｈに取り付けられる。すなわち、昇降用吊持体５２の取り回しは、一端が固定支持杆２１下部の吊持体固定ブラケット５３に固定されるとともに、ここから中継昇降支持杆２２Ｒ上端の昇降用ターン回転体５１に向かうように設けられ、ここに約半周程度懸回させた後、今度は反転させて下方に向けて設けられ、装着用昇降支持杆２２Ｈの重力による下降傾向を吊り上げるように設けられるものである。
ここで昇降用吊持体５２において、吊持体固定ブラケット５３〜昇降用ターン回転体５１までの部位を「固定側５２ｆ」と称し、昇降用ターン回転体５１〜装着用昇降支持杆２２Ｈまでの部位を「作動側５２ａ」とする。なお、これは後述する変向用吊持体６２においても同様である。
また、昇降用ターン回転体５１は、異物の巻き込み等を防止すべく、ボックスＢ内に収容されることが好ましい。
【００２６】
ここで、照明ユニット３（ランプ３１）の昇降動作つまり装着用昇降支持杆２２Ｈの昇降動作の基本的な仕組み（経緯）について説明する。
上述した駆動部４により雄ねじロッド４１を回転させ、雌ねじブロック４２を下降させると（言わばスクリュー・スライド）、中継昇降支持杆２２Ｒも固定支持杆２１に対して下降する。これにより中継昇降支持杆２２Ｒの上端に設けられた昇降用ターン回転体５１も下降するものであり、これは昇降用ターン回転体５１に懸回された（掛け渡された）昇降用吊持体５２の固定側５２ｆ寸法が短くなり、その分の長さが作動側５２ａに繰り出されることを意味する（つまり装着用昇降支持杆２２Ｈが下降して照明ユニット３が下降する）。
なお、装着用昇降支持杆２２Ｈ（照明ユニット３）の下降寸法は、図７の原理図に示すように、固定側５２ｆの短縮寸法（作動側５２ａへの繰出寸法）Ｌ１だけでなく、これに昇降用ターン回転体５１そのものの下降寸法Ｌ２が加わるため、より大きな下降寸法（Ｌ１＋Ｌ２）となるものである。すなわち、固定支持杆２１に対して中継昇降支持杆２２Ｒを下降させると、装着用昇降支持杆２２Ｈ（照明ユニット３）の下降寸法としては、ほぼその倍の距離（長さ）下降することになり、これは昇降支持杆２２を上昇させた場合も同様である。
また装着用昇降支持杆２２Ｈ（照明ユニット３）の昇降動寸法が、中継昇降支持杆２２Ｒの昇降動寸法の約２倍になることは、昇降式照明装置１の格納状態（最短状態）で見ると、極めてコンパクトに収められることを示しており、建屋の天井高を有効に利用できるものである。
【００２７】
次にランプ変向機構６について説明する。ランプ変向機構６は、上述したように、主に照明ユニット３の変向動作を担うものである（もちろんここでも支持杆２、駆動部４、ランプ昇降機構５の存在が前提となる）。
ランプ変向機構６も、上記ランプ昇降機構５と同様の構成を採るものであり、中継昇降支持杆２２Ｒの上端部に設けられたスプロケット等の変向用ターン回転体６１と、この変向用ターン回転体６１の上側半周程度に掛け渡される（懸回される）チェーン等の変向用吊持体６２とを主な構成部材とする。
ここで変向用ターン回転体６１は、昇降用ターン回転体５１よりも懸回面が小さく形成されるものであり、この点がランプ昇降機構５と異なる点である。すなわちターン回転体５１・６１にスプロケットを適用した場合には、変向用スプロケット（６１）の方が、昇降用スプロケット（５１）よりも少ない歯数で形成されるものである。因みに、このような構成を採るのは、変向用吊持体６２における固定側６２ｆから作動側６２ａへの繰出寸法を、昇降用吊持体５２（ランプ昇降機構５）とは異ならせるためである（これについては後述する）。
なお、変向用吊持体６２が懸回される変向用ターン回転体６１は、昇降用吊持体５２が懸回される昇降用ターン回転体５１と同軸上に形成され、また同じボックスＢ内に収容されるものである。
【００２８】
また、変向用吊持体６２の取り回しも昇降用吊持体５２とほぼ同様であり、固定側６２ｆは、固定支持杆２１の下端部に設けられた吊持体固定ブラケット６３（昇降用とは別のブラケット）に取り付けられるものである。ただし、吊持体固定ブラケット６３と変向用吊持体６２との間にはスプリング６４を介在させるものであり、この点が昇降用吊持体５２とは異なる。
一方、変向用吊持体６２の作動側６２ａは、変向パイプ６５の上端に接続され、これを吊持するものである。なお、この変向パイプ６５の下端は、上述したようにランプサポート３２に接続されるものであり、この際、前記回動支持点３５とは別の位置（回動支持点３５から偏寄した位置）で回動自在に取り付けられるものである。
因みに、変向パイプ６５の上端部と下端部には孔が開けられ、ランプ３１への給電を担うコード３３をこのパイプ内に通すことが好ましく、これはコード３３を損傷させないためである。また、変向パイプ６５の上部の孔から更に上方に延びるコード３３は、オートリール３４で自動で巻き上げられたり、繰り出されたりするものであり、これもコード３３が支持杆２の伸長・収縮に支障がないように考慮したためである。
【００２９】
このように、変向用吊持体６２の取り回しも、一端が固定支持杆２１下部の吊持体固定ブラケット６３に固定されるとともに（スプリング６４を介在）、ここから中継昇降支持杆２２Ｒ上端の変向用ターン回転体６１に向かうように設けられ、ここに約半周程度懸回させた後、今度は反転させて下方に向けて設けられ、変向パイプ６５の重力による下降傾向を吊り上げるように設けられるものである。
また、ここでも変向用ターン回転体６１の昇降動作に伴い、変向パイプ６５が昇降動するため、変向パイプ６５が昇降動する態様（経緯）やその寸法も、昇降用吊持体５２と基本的に同様である。
【００３０】
ただし、ランプ変向機構６は、以下の点でランプ昇降機構５とは異なり、ランプ３１を変向させるものである（ランプ変向機構６がランプ昇降機構５と全く同じでは、変向させることができない）。
例えば中継昇降支持杆２２Ｒ（照明ユニット３）を上死点から下降させる場合、昇降用及び変向用の二つのターン回転体５１・６１は、同軸取り付け（同軸回転）であるため、双方の回転数は同じになるが、ターン回転体５１・６１の懸回面の大きさ（スプロケットで言えば歯数）が異なるため、ターン回転体５１・６１の周長としては、変向用ターン回転体６１（変向用吊持体６２）の方が小さくなり、これが結果として固定側６２ｆから作動側６２ａに繰り出される長さの差となって出現し、ランプ３１が次第に上方向きとなるものである。
このように中継昇降支持杆２２Ｒを徐々に下降させて行った場合には、変向用吊持体６２の作動側６２ａへの繰出長さが、昇降用吊持体５２よりも短くなるため、照明ユニット３（ランプサポート３２）は下降しながらも、ランプサポート３２そのものが回動支持点３５を中心にして上方に引き上げられることになり（上方に回動することになり）、ランプ３１が当初に比べて上方向きになるものである（図８参照）。なお、ここでの「上方向き」とは、「水平よりも上」という意味ではなく、鉛直下方から水平方向までの状態も含むものである。つまり当初のランプ３１の照射方向が鉛直下方（真下）であれば、この状態から多少なりとも上方にランプ３１の照射方向を振った状態（首振り状態）を全て包含するものである。
もちろん、中継昇降支持杆２２Ｒを下死点から上昇させて行った場合には、これとは逆の現象が起こり、ランプ３１は徐々に下方向きとなる。
【００３１】
ここで変向用吊持体６２の固定側６２ｆに設けたスプリング６４の作用について説明する。
例えば中継昇降支持杆２２Ｒを上死点から下降させた場合、変向用ターン回転体６１の懸回面が小さいため（スプロケットで言えば歯数が少ないため）、そのままでは変向用吊持体６２における固定側６２ｆから作動側６２ａへの繰出寸法が短く、変向用吊持体６２の固定側６２ｆで弛みが発生し得るものである。このため本実施例では変向用吊持体６２のみにスプリング６４を設け、このスプリング６４で弛みを吸収し、変向用吊持体６２の固定側６２ｆを、常にテンションを掛けた状態（いわゆるピンと張った状態）にするものである。
【００３２】
また、本実施例では、ランプサポート３２を直棒状（真っ直ぐなロッド状）ではなく、側面視「へ」の字状もしくは「く」の字状に形成し、その屈曲先端部にランプ３１を取り付けるようにしている。このような保持は、重量物であるランプ３１を最も下方に位置させる安定的な保持（最下点保持）ではなく、最下点から少し斜めに上げた保持状態であり、安定的ないしは効率的な保持という点では一見、理にそぐわないように見える（これをアンバランス状態の保持とする）。しかしながら、本実施例においてランプ３１をアンバランス状態に保持するようにしたのは、以下のようなことを考慮したためである。
すなわち、屈曲したランプサポート３２の先端部にランプ３１を固定する手法（アンバランス状態の保持）では、照明ユニット３の荷重を、装着用昇降支持杆２２Ｈと変向パイプ６５とによって（言い換えれば昇降用吊持体５２と変向用吊持体６２とによって）分散して保持できるものである。このような荷重分散保持は、ランプ３１の変向動作中も常に同様であり、そのため装着用昇降支持杆２２Ｈのみに負荷が掛かることを回避できるものである。
【００３３】
なお、中継昇降支持杆２２Ｒの昇降動作に伴って照明ユニット３を変向させるだけであれば、例えば図９に示すように、ランプサポート３２を直棒状に形成するとともに、このランプサポート３２の側部から外方に張り出す部材（変向用張出体６７）を設けておき、この変向用張出体６７に変向用吊持体６２（変向パイプ６５）を接続することも可能である。ただし、この場合には、例えば上死点でランプ３１が鉛直下方（真下）を向いたときには、ランプ３１やランプサポート３２の荷重は、全て昇降用吊持体５２（装着用昇降支持杆２２Ｈ）に掛かり、変向用吊持体６２（変向パイプ６５）には掛からないものである（荷重が分散されないものである）。
また、ランプサポート３２を直棒状に形成した場合には、中継昇降支持杆２２Ｒの下降に伴い徐々にランプ３１を上方向きにして行くにあたり、変向用吊持体６２（変向パイプ６５）にもランプ３１やランプサポート３２の荷重が掛かって行くものである。つまり変向用吊持体６２（変向パイプ６５）は、当初、ほぼ荷重０のところから、徐々に荷重が加わって行くことになり、このような荷重の掛かり方は、変向用吊持体６２にスプリング６４を介在させていることもあって、伸長動作と変向動作との連係がスムーズに運ばないことも考えられるものである。
因みに、本実施例では、上述したようにランプ３１の保持が、アンバランス状態であるため、装着用昇降支持杆２２Ｈには、鉛の板を張り付ける等、安定用ウェイトを設けることが好ましく、これによりランプ３１（照明ユニット３）の照射方向を安定して維持することができるものである。
【００３４】
次にリミットスイッチ８０について説明する。リミットスイッチ８０は、中継昇降支持杆２２Ｒの上死点と下死点とを規制するスイッチであり、これによりランプ３１の昇降動範囲、ひいてはこれに伴うランプ３１の上下首振り範囲が決定されるものである。
リミットスイッチ８０は、昇降動する中継昇降支持杆２２Ｒに設けられる折曲片８０ａと、固定支持杆２１側に設けられるリミットスイッチ本体（ＬＳ本体８０ｂ）と、このＬＳ本体８０ｂを固定支持杆２１に設置するためのリミットスイッチブラケット（ＬＳブラケット８０ｃ）とを具えて成るものである。
中継昇降支持杆２２Ｒの上死点や下死点を認識するには、中継昇降支持杆２２Ｒとともに上下動する折曲片８０ａが、固定支持杆２１側に取り付けられたＬＳ本体８０ｂと接触することによって中継昇降支持杆２２Ｒが上死点や下死点に到達したことを認識し、昇降動を停止させるものである。なお折曲片８０ａの上下両端部が前方（装置の前方側）に折り返し状態に形成されているのは、上死点側・下死点側のいずれにも設置できるようにするためである。また、ＬＳブラケット８０ｃの取付孔は、ＬＳ本体８０ｂの取付高さが多少調整できるように、長孔状に形成されることが好ましい。
【００３５】
ここで中継昇降支持杆２２Ｒが上死点・下死点に達した場合の照明ユニット３（ランプ３１）の高さや、照射方向（照射角度）の一設定例について説明する。
中継昇降支持杆２２Ｒが上死点に達した状態（支持杆２としては最も収縮した状態）では、ランプ３１の下が地上から２３５０ｍｍ程度で、ランプ３１の照射方向は鉛直下方（真下）から５度程度に設定するものである。ここでランプ下が地上高２３５０ｍｍという高さは、作業者（頭）にとってランプ３１が邪魔になるという感覚（実際にはぶつからなくても歩行の際に妨げになる感覚）がないように考慮した高さ設定である。
また、中継昇降支持杆２２Ｒが下死点に達した状態（支持杆２としては最も伸長した状態）では、ランプ３１の下が地上から２８０ｍｍ程度で、ランプ３１の照射方向はほぼ水平（真横向き）という設定が可能である。ここでランプ３１の照射方向を真横向きに設定するのは、この低い高さでランプ３１を上向き（水平よりも上向き）にすると、照射光がまともに作業者の目に入ってしまう（却って作業の妨げになる）ためである。なお、ランプ３１が横向きでも、広角照明であればリフトアップした車輛の下面を明るく照らすことはできるものである。
【００３６】
次に、落下防止機構７について説明する。まず、落下防止機構７の必要性について説明する。昇降用吊持体５２には、照明ユニット３や装着用昇降支持杆２２Ｈの荷重が大きく掛かるため昇降用吊持体５２そのものが誤って切れることが想定される。また、昇降用吊持体５２自体は切れなくても、この昇降用吊持体５２を保持（固定）している吊持体固定ブラケット５３等が破損することも考えられ、このような場合には、装着用昇降支持杆２２Ｈに吊持力が作用しなくなるため、装着用昇降支持杆２２Ｈ（照明ユニット３）が落下してしまう。このため、例えば昇降用吊持体５２や吊持体固定ブラケット５３が、切れたり破損したりしても、装着用昇降支持杆２２Ｈの落下を阻止する機構を設けておくことが望ましく、これが落下防止機構７である。
なお、本実施例では、照明ユニット３の荷重を、昇降用吊持体５２と変向用吊持体６２とにより分散して吊持しているため、昇降用吊持体５２が誤って切れても、変向用吊持体６２により照明ユニット３を吊持することができ、昇降用吊持体５２の切断が、即、照明ユニット３（装着用昇降支持杆２２Ｈ）の落下につながるものではないが、本実施例のように落下防止対策は多重に施しておくことが好ましい。
【００３７】
落下防止機構７は、一例として図６に示すように、昇降用吊持体５２によって装着用昇降支持杆２２Ｈを吊持する際の接続部位に組み込まれるものであり、装着用昇降支持杆２２Ｈの上端部に設けられる機構本体７１と、このものに回動自在（中継昇降支持杆２２Ｒ側に突出自在）に設けられるローラ７２とを主な構成部材として成るものである。
また機構本体７１には、ローラ７２を格納状態に収容できるローラ収容空間７３が形成されるものであり、このローラ収容空間７３は、上方に向かって徐々に狭まる傾斜状に形成され、当該傾斜面と中継昇降支持杆２２Ｒ（内面）とによって楔状空間を成すように形成される。そして、通常時（昇降用吊持体５２が切れてない場合）には、ローラ７２を、このローラ収容空間７３下方の広い部位に収めることで、装着用昇降支持杆２２Ｈの昇降動が支障なく行えるようにする一方、緊急時（昇降用吊持体５２が切れた場合）には、このローラ７２をローラ収容空間７３の上方（つまり中継昇降支持杆２２Ｒ側）に移動（突出）させることで、ローラ７２が上記楔状空間に嵌まり込むようにし（食い込むようにし）、装着用昇降支持杆２２Ｈの落下を防止するものである。
このように落下防止機構７は、ローラ７２を、通常時にはローラ収容空間７３内の奥部下方に収めるものの、緊急時には自動的にローラ収容空間７３の上方側（中継昇降支持杆２２Ｒ側）に突出させるものであり、以下このような構造について更に説明する。
【００３８】
上記構造を実現するには、例えば同図６に示すように、昇降用吊持体５２が接続される接続ピン７４ａと、前記ローラ７２を突出自在とするための連結ピン７４ｂとを細長いプレート状の連結片７４ｃの両端に取り付けるものであり、これら接続ピン７４ａと連結ピン７４ｂとは、ともに連結片７４ｃに対して直交状態に取り付けられる。そのため、接続ピン７４ａ・連結ピン７４ｂ・連結片７４ｃは、概ね鉤状（フック状）を成するように一体化形成され、これは前記ローラ７２を中継昇降支持杆２２Ｒ側に移動（突出）させるための部材であることからローラ作動体７４とする。
【００３９】
ローラ作動体７４は、機構本体７１内に形成された可動空間７５内を全体的に上下動するように組み込まれ、昇降用吊持体５２により吊持されている間は、該空間内の上方に位置し、昇降用吊持体５２が切れて吊持力が作用しなくなった場合には、接続ピン７４ａに外嵌めされたスプリング７６の付勢力によって該空間内の下方に位置するように形成される。
また、このローラ作動体７４の下方には、シーソーのように部材中心を回動中心として左右に上下動（揺動）するレバー７７が設けられ、その一端に上記ローラ７２が回転自在に設けられるとともに、その反対側に上記ローラ作動体７４の連結ピン７４ｃが回動自在に接続される（リンク状の接続）。なお、レバー７７に形成されるローラ取付孔７７ｈは、ローラ７２がレバー７７の長手方向（中継昇降支持杆２２Ｒに突出する方向）に対し移動できるように、長孔状に形成されることが好ましい。また、シーソーのように作動するレバー７７においてローラ７２が接続される方をローラ側７７Ｒとし、連結ピン７４ｂが接続される方を連結ピン側７７Ｐとする。
【００４０】
以下、ローラ７２の作動態様を具体的に説明する。ローラ作動体７４が昇降用吊持体５２の吊持力によって上方に位置する場合には、シーソー状のレバー７７の連結ピン側７７Ｐが上がるためローラ側７７Ｒは下がり、ローラ７２がローラ収容空間７３内の広い部分に収まり、装着用昇降支持杆２２Ｈの昇降動を阻害しないものである。
一方、昇降用吊持体５２が切れてローラ作動体７４がスプリング７６の付勢力によって下方に位置した場合には、シーソー状のレバー７７の連結ピン側７７Ｐも下がるため、その反対側のローラ側７７Ｒは上がり、ローラ７２がローラ収容空間７３の傾斜面に案内されるように回転しながらレバー７７の長手方向に移動し（中継昇降支持杆２２Ｒ側に突出するようになり）、ローラ収容空間７３（傾斜）と中継昇降支持杆２２Ｒ（内面）とによって形成される楔状空間にローラ７２が嵌まり込み（食い込み）、装着用昇降支持杆２２Ｈの落下を阻止するものである。
なお、図中符号７８は、スプリング７６を上方から受けるワッシャであり、このものはローラ作動体７４の接続ピン７４ａに遊嵌状態に外嵌めされるのみで、接続ピン７４ａとは固定されないものである。
また、機構本体７１は、例えば半割り状の部材を接合して形成されるものであり、半割り状部材の段階で、事前にローラ収容空間７３や可動空間７５が半分ずつ形成され、これを組み合わせる際に、ローラ作動体７４（スプリング７６を接続ピン７４ａに嵌めた状態）やレバー７７を組み込むことで、これらを機構本体７１内に収めるものである。
【００４１】
以下、実際の整備工場における昇降式照明装置１の基本的な設置形態について説明する。昇降式照明装置１は、例えば図１に示すように、建屋（整備工場）内に収容されたトラックＴの左右両側に対を成すように設けられ、各昇降式照明装置１がトラックＴの前後方向に摺動するように設けられる。すなわち、実際の整備工場にあっては、トラックＴの両サイド（外方）の適宜の位置から光を照射し、整備点検を行う形態を基本とするものである。このため、固定支持杆２１（支持杆２）を支持するレールＲもトラックＴの左右両側に、且つトラックＴの前後方向に沿って敷設されるものであり、このレールＲから前記固定支持杆２１を吊り下げ状態に設けることにより、昇降式照明装置１をトラックＴの前後方向に移動可能としている。なお、本実施例では、このようなレールＲを、建屋の天井から吊設された架台Ａの下端面に敷設するものであり、一例としてレールＲは床面から４〜４．５ｍの高さに敷設されるものである。
また、本実施例では、一例として図２に示すように、このようなレールＲを円筒状に形成しており、車輪Ｗは、この円筒状のレールＲ内を転動する構造としている。更に、固定支持杆２１は、適宜のチャンネル材を組み合わせて形成したフレームＦに取り付けられるものであり、このフレームＦには、固定支持杆２１の他、モータ４３、オートリール３４、コントロールボックス等も取り付けられるものである。
もちろん昇降式照明装置１は、固定支持杆２１を建屋に対し固定設置し、常に建屋内の定位置で昇降動させるようにしても構わないが、上述したように固定支持杆２１を移動自在とすることにより、作業者もしくは作業場所の移動に追随して照明ユニット３を移動させ得るという効果を奏するものである。
また、モータ４３は、駆動側プーリ４４Ｄを上方に向けるように設置することでモータ本体の上方への張り出しが抑えられ、建屋内の天井高をより有効に活用できるものである。
【００４２】
本発明の昇降式照明装置１は、以上のような基本構造を有するものであり、以下、本装置の作動態様、特に中継昇降支持杆２２Ｒ（照明ユニット３）を上死点から下降させることに伴い、下方向きであった照明ユニット３（ランプ３１）が徐々に上方向きになる態様について説明する。
（１）固定支持杆に対する中継昇降支持杆の下降
まず駆動部４のモータ４３によって雄ねじロッド４１を下降側に回転させるものであり、これにより雄ねじロッド４１に螺合している雌ねじブロック４２つまり中継昇降支持杆２２Ｒが下降する。
【００４３】
（２）中継昇降支持杆に対する装着用昇降支持杆の下降
中継昇降支持杆２２Ｒが下降すると、このものの上端部に設けられたターン回転体５１・６１も下降する。ここでターン回転体５１・６１の下降は、吊持体５２・６２における固定側５２ｆ・６２ｆの寸法が短くなり（作動側５２ａ・６２ａの寸法が長くなり）、吊持体５２・６２が固定側５２ｆ・６２ｆから作動側５２ａ・６２ａに繰り出されることを意味する。このため昇降用吊持体５２に吊持されている装着用昇降支持杆２２Ｈは、この繰出寸法と昇降用ターン回転体５１の下降分との加算寸法分、下降するものである（図７参照）。
【００４４】
（３）照明ユニットの変向動作
ここで本実施例では、昇降用ターン回転体５１と変向用ターン回転体６１とが同軸上に設けられ、同じ回転数となるが、変向用ターン回転体６１の懸回面が小さいため（スプロケットで言えば歯数が少ないため）、変向用吊持体６２の繰出寸法が昇降用吊持体５２よりも小さくなる。このため、中継昇降支持杆２２Ｒの下降に伴い照明ユニット３のランプ３１が自動的に徐々に上方向きとなるものである（図８参照）。
なお、本実施例では、スプリング６４を介して変向用吊持体６２を吊持体固定ブラケット６３に固定しているため、中継昇降支持杆２２Ｒを下降させる際に、変向用吊持体６２の固定側６２ｆに弛みが発生しようとしても、これをスプリング６４によって吸収することができ、変向用吊持体６２（特に固定側６２ｆ）に常時テンションを掛けることができるものである。
また、中継昇降支持杆２２Ｒ（照明ユニット３）を下死点から上昇させる際には、この上昇動作に伴いランプ３１が自動的に徐々に下方向きとなるものである。
【００４５】
〔他の実施例〕
本発明は以上述べた実施例を一つの基本的な技術思想とするものであるが、更に次のような改変が考えられる。
まず、上述した実施例では、ターン回転体５１・６１と吊持体５２・６２との組み合わせとして、基本的にスプロケットとチェーンの組み合わせを想定したが、必ずしもこの組み合わせに限定されるものではなく、他にもタイミングプーリとタイミングベルトの組み合わせとすることも可能であるし、あるいはＶベルト車とＶベルトの組み合わせとすることも可能である。更に、吊持体５２・６２としてはワイヤやロープも採用できるが、この場合にはワイヤやロープがターン回転体５１・６１において滑りを生じないように構成することが望ましい。
【００４６】
また、上述した実施例では、基本的にランプ３１が２灯のものを図示したが、これは１灯でも構わないし、３灯以上でも構わないものである。
また、上述した実施例では、支持杆２の特に昇降支持杆２２を格納するにあたり、装着用昇降支持杆２２Ｈを中継用昇降支持杆２２Ｒ内に収容する入れ子状構造を採用したが、装着用昇降支持杆２２Ｈは中継用昇降支持杆２２Ｒに対し、上下に摺動自在に形成されれば良いため、必ずしも入れ子状である必要はなく、中継用昇降支持杆２２Ｒの外側面に沿わせて装着用昇降支持杆２２Ｈを昇降動させることも可能である。
【００４７】
また、上述した実施例では、ランプサポート３２を側面視「へ」の字状もしくは「く」の字状に形成したが、ランプサポート３２は必ずしも屈曲状に形成する必要はなく、例えば図９に示すように直棒状（真っ直ぐなロッド状）に形成することも可能であり、その場合には、この真っ直ぐなランプサポート３２の側部から外側に張り出す変向用張出体６７を設けておき、この張出体を変向用吊持体６２（変向パイプ６５）で吊持して（引っ張って）、ランプ３１の変向を行うものである。ただし、この場合には、上述したように例えばランプ３１が上死点で鉛直下方（真下）を向いた場合、ランプ３１やランプサポート３２の荷重は、全て昇降用吊持体５２（中継昇降支持杆２２Ｈ）のみに掛かり、変向用吊持体６２（変向パイプ６５）には掛からないため（荷重が分散されないため）、これが昇降・変向動作に悪影響を及ぼさないように考慮することが望ましい。
なお、図９では、直棒状のランプサポート３２に対し、ほぼ水平に変向用張出体６７を設けたが、変向用張出体６７を設ける角度は適宜変更可能であり、これは主に変向角度範囲から設定され得るものである。
【符号の説明】
【００４８】
１      昇降式照明装置
２      支持杆
３      照明ユニット
４      駆動部
５      ランプ昇降機構
６      ランプ変向機構
７      落下防止機構
２      支持杆
２１    固定支持杆
２２    昇降支持杆
２２Ｈ  装着用昇降支持杆
２２Ｒ  中継昇降支持杆
３      照明ユニット
３１    ランプ
３２    ランプサポート
３３    コード
３４    オートリール
３５    回動支持点
４      駆動部
４１    雄ねじロッド
４２    雌ねじブロック
４２Ｂ  ブロック固定ブラケット
４３    モータ
４４    タイミングプーリ
４４Ｄ  駆動プーリ
４４Ｎ  従動プーリ
４５    タイミングベルト
４６    軸受
４７    スライドガイド
５      ランプ昇降機構
５１    昇降用ターン回転体（大スプロケット）
５２    昇降用吊持体
５２ｆ  固定側（昇降用吊持体の）
５２ａ  作動側（昇降用吊持体の）
５３    吊持体固定ブラケット
６      ランプ変向機構
６１    変向用ターン回転体（小スプロケット）
６２    変向用吊持体
６２ｆ  固定側（変向用吊持体の）
６２ａ  作動側（変向用吊持体の）
６３    吊持体固定ブラケット
６４    スプリング
６５    変向パイプ
６７    変向用張出体
７      落下防止機構
７１    機構本体
７２    ローラ
７３    ローラ収容空間
７４    ローラ作動体
７４ａ  接続ピン
７４ｂ  連結ピン
７４ｃ  連結片
７５    可動空間
７６    スプリング
７７    レバー
７７Ｒ  ローラ側（レバーの）
７７Ｐ  連結ピン側（レバーの）
７７ｈ  ローラ取付孔
７８    ワッシャ
８０    リミットスイッチ
８０ａ  折曲片
８０ｂ  ＬＳ本体
８０ｃ  ＬＳブラケット
Ａ      架台
Ｂ      ボックス
Ｆ      フレーム
Ｒ      レール
Ｔ      トラック
Ｗ      車輪
【図１】
2013004253.tif 000003
【図２】
2013004253.tif 000004
【図３】
2013004253.tif 000005
【図４】
2013004253.tif 000006
【図５】
2013004253.tif 000007
【図６】
2013004253.tif 000008
【図７】
2013004253.tif 000009
【図８】
2013004253.tif 000010
【図９】
2013004253.tif 000011